(57)【要約】 【課題】  半透明有彩色の印刷を施しているにも拘わらず、金属光沢色が低減された金属箔製包装材料を提供する。【解決手段】  この金属箔製包装材料は、表面から順に、半透明白色層３、半透明有彩色層２及び金属箔１の順に積層されてなる。半透明白色層３は合成樹脂中に白色顔料が分散してなる。半透明有彩色層２は合成樹脂中に有彩色顔料が分散してなるか、又は合成樹脂中に有彩色染料が溶解してなる。金属箔１は一般的にアルミニウム箔である。半透明有彩色層２と金属箔１の間には、透明層４が挿入されていてもよい。透明層４は合成樹脂で形成されている。半透明白色層３表面に黒色のバーコードが印刷されていてもよい。この金属箔製包装材料は、種々の包装材に用いることができ、特にプレススルーパックに用いる。【選択図】  図２
2015124000.tif 000002
【特許請求の範囲】
【請求項１】
表面から順に、半透明白色層、半透明有彩色層及び金属箔の順に積層されてなり、
半透明白色層は合成樹脂中に白色顔料が分散してなるものであり、半透明有彩色層は合成樹脂中に有彩色顔料が分散してなるか又は合成樹脂中に有彩色染料が溶解してなるものであることを特徴とする金属箔製包装材料。
【請求項２】
半透明有彩色層と金属箔との間に透明層が挿入されてなり、透明層は合成樹脂で形成されている請求項１記載の金属箔製包装材料。
【請求項３】
半透明白色層の表面に、バーコードが印刷されてなる請求項１記載の金属箔製包装材料。
【請求項４】
バーコードが黒色である請求項３記載の金属箔製包装材料。
【請求項５】
金属箔がアルミニウム箔である請求項１記載の金属箔製包装材料。
【請求項６】
請求項１記載の金属箔製包装材料を用いてなるプレススルーパック。
【請求項７】
請求項１記載の金属箔製包装材料を蓋材として用いてなるプレススルーパック。
【発明の詳細な説明】
【技術分野】
【０００１】
本発明は、金属光沢色を低減させた金属箔製包装材料に関し、特に、半透明有彩色の着色印刷を施しているにも拘わらず、当該部分において金属光沢色が低減された金属箔製包装材料に関するものである。
【背景技術】
【０００２】
従来より、アルミニウム箔等の金属箔は、包装材料として汎用されている。包装材料には各種着色印刷が施されるが、その印刷層が薄く半透明層となっている場合には、金属箔の金属光沢色により、印刷層の着色が視認しにくいということがあった。視認しにくい原理を図１に基づいて説明すると、以下のとおりである。図１において、１はアルミニウム箔等の金属箔であり、２は半透明着色印刷層である。光源光ａは半透明着色印刷層２の表面で特定波長光ｃが反射すると共に、半透明着色印刷層２を透過して金属箔１の表面で金属光沢色を感受する波長光ｄ（以下、「金属光沢波長光ｄ」という。）を反射する。したがって、特定波長光ｃと金属光沢波長光ｄの両者が人間の目に感受され、特定波長光ｃのみを感受して認識しうる着色が視認しにくくなるのである。よって、金属箔に視認しやすい着色印刷を施すときに、その印刷層を不透明層にしなければならなかった。
【０００３】
たとえば、アルミニウム箔等の金属箔の表面にバーコードを印刷する場合には、金属箔表面に不透明白色層を印刷し、その不透明白色層の表面に黒色のバーコード印刷を施すことが行われている（特許文献１）。これは、不透明白色層により、光源光ａが金属箔表面に透過しないようにしているのである。しかしながら、かかる不透明白色層は意匠性を向上させるものではなく、特に、全面を特定の有彩色で着色したいという要望に沿うものではない。
【０００４】
【特許文献１】特開２００８−１７４３０２号公報（請求項１）
【発明の開示】
【発明が解決しようとする課題】
【０００５】
したがって、金属光沢色を低減させ、バーコード印刷を読み取り可能する程度に着色しようとすると、着色印刷層を不透明層にしなければならず、この結果、印刷層は厚くなってしまう。印刷層を厚くすると、包装材料の重量が高くなると共に、包装材料の柔軟性も低下するということがあった。特に、着色印刷層を金属箔全面に設ける場合には、前記した欠点がより顕著なものとなる。本発明は、着色印刷層を半透明にしても、金属光沢波長光ｄが反射しにくいようにして上記欠点を解決し、半透明の着色印刷層の箇所において、金属光沢色を低減させたものである。
【課題を解決するための手段】
【０００６】
すなわち、本発明は、表面から順に、半透明白色層、半透明有彩色層及び金属箔の順に積層されてなり、半透明白色層は合成樹脂中に白色顔料が分散してなるものであり、半透明有彩色層は合成樹脂中に有彩色顔料が分散してなるか又は合成樹脂中に有彩色染料が溶解してなるものであることを特徴とする金属箔製包装材料に関するものである。また、半透明有彩色層と金属箔の間に、合成樹脂よりなる透明層を挿入した金属箔製包装材料に関するものである。
【０００７】
表面に配される半透明白色層３は、合成樹脂中に白色顔料が分散している層である。半透明白色層３の厚みは、２μｍ以下であるのが好ましい。半透明白色層３の厚みが２μｍを超えると、包装材料が重くなり風合が低下するし、不透明になる恐れもある。不透明であると、その下に配された有彩色層２の色が感受できないので、白色層３は半透明でなければならない。白色顔料としては、従来公知のものが用いられるが、一般的には二酸化チタンを用いるのが好ましい。白色顔料は、その一次粒子径が０．２〜０．４μｍの範囲を主体とするものを用いるのが好ましい。白色顔料の一次粒子径が大きくなると、厚みが２μｍ以下の半透明白色層３を設けにくくなる。半透明白色層３には、この層が半透明になる程度に白色顔料が含有されており、半透明白色層３の厚さによって１０〜７０重量％の範囲内で適宜設定される。すなわち、半透明白色層３の厚さが薄い場合には、白色顔料の含有量が多くても層３は半透明となり、また半透明白色層３の厚さが厚い場合には、白色顔料の含有量が少なくても層３が不透明となることがある。層３の厚さが厚く且つ白色顔料の含有量が多いと、白色層３が不透明になる恐れがある。なお、合成樹脂としては、印刷インキのビヒクルとして従来用いられている公知のものが用いられる。
【０００８】
半透明白色層３の下に、半透明有彩色層２が配される。この有彩色層２も半透明であり、その厚みは２μｍ以下であるのが好ましい。有彩色層２の厚みが２μｍを超えると、包装材料が重くなり風合が低下する。有彩色は白色及び黒色を除く色のことであり、たとえば桃色、赤色、紫色、黄色、緑色又は橙色等を意味している。包装材料にかかる有彩色を印刷する趣旨は、包装材料の意匠性を向上させるためである。また、包装材料を薬剤用に使用する場合には、薬剤を識別しやすくするためでもある。たとえば、同一の薬剤であっても、５ｍｇ錠は赤色、１０ｍｇ錠は紫色、１５ｍｇ錠は緑色に着色された包装材料を用いると、医師、薬剤師及び患者等が、薬剤を取り違えることがない。特に、プレススルーパックの蓋材等の包装材料に、表面全体に有彩色を着色しておくと、包装されて視認しにくい状態となった錠剤であっても、容易に識別することが可能となる。
【０００９】
半透明有彩色層２には、合成樹脂中に有彩色顔料が分散されているか、又は合成樹脂中に有彩色染料が溶解されているものである。有彩色顔料又は染料としては、従来公知のものが用いられる。有彩色顔料を用いる場合、その一次粒子径が０．２〜０．４μｍの範囲を主体とするものを用いるのが好ましい。有彩色顔料の一次粒子径が大きくなると、厚みが２μｍ以下の半透明有彩色層２を設けにくくなる。有彩色顔料を用いる場合、それは有彩色層２に１〜２０重量％程度含有されているのが好ましい。有彩色顔料の含有量を多くすると、有彩色層２が不透明になると共に、有彩色層２の重量が重くなる。有彩色染料は、半透明有彩色層２中に染料が溶解しているので、特に制限なく用いることができる。なお、半透明有彩色層２に用いられる合成樹脂も、印刷インキのビヒクルとして従来用いられている公知のものが用いられる。
【００１０】
半透明有彩色層２の下には金属箔１が配されている。金属箔１としては、従来公知のものが用いられるが、包装材料として一般的に使用されているアルミニウム箔を用いるのが好ましい。金属箔１の厚みは任意であるが、包装材料としては一般的に１０〜３０μｍ程度のものが用いられる。なお、半透明有彩色層２が配される金属箔１の面は、金属光沢の強い艶面であるのが一般的である。本発明は金属光沢色を低減することを目的とするものだからである。
【００１１】
また、本発明においては、半透明有彩色層２と金属箔１の間に、透明層４を設けてもよい。この透明層４は、プライマー層であって、半透明有彩色層２を印刷しやすくするためのものである。すなわち、金属箔１の表面に直接、半透明有彩色層２を印刷すると、金属箔１と半透明有彩色層２中の合成樹脂との密着力が弱い場合があるので、金属箔１との密着力が強い合成樹脂を用い透明層４を形成する。これにより、半透明有彩色層２を形成している合成樹脂と、透明層４を形成している合成樹脂との密着力が強くなり、この結果、透明層４を介して、金属箔１と半透明有彩色層２との密着力が向上するのである。
【００１２】
透明層４はプライマー層であるので、なるべく薄い方が好ましく、一般的には１μｍ以下である。厚みが１μｍを超えると、包装材料の重さが重くなり、風合が低下する。また、層４が不透明になると、その上に配されている半透明有彩色層２の色が変色するため、好ましくない。
【００１３】
以上説明したように、本発明に係る包装材料は、表面から順に、特定の半透明白色層３、特定の半透明有彩色層２及び金属箔１の順に積層されてなるものである。また、半透明有彩色層２と金属箔１の間に特定の透明層４を設けてなるものである。さらに、半透明白色層３の表面にバーコードを印刷しておいてもよい。バーコードの色は、バーコードリーダーで読み取れるものであれば任意であるが、一般的に黒色が好ましい。かかる包装材料は、薬品や食品等を包装するための材料として、有益に用いられるものである。特に、薬品を包装するためのプレススルーパックの蓋材等の材料として有益に用いられる。
【発明の効果】
【００１４】
まず、本発明に係る包装材料に表面から光源光ａが照射された場合、どのように光が反射するかを図２に基づいて説明する。光源光ａは半透明白色層３に照射され、光源光ａの一部は、その表面で散乱光ｂとなって反射する。これは、層３が白色だからである。光源光ａの残余は、半透明白色層３中に入射して、半透明有彩色層２の表面で残余の一部が特定波長光ｃ（半透明有彩色層２の有彩色を感受する波長の光）を反射し、これが半透明白色層３を透過して、外部に至る。半透明有彩色層２の表面で反射しなかった残りの光は、半透明有彩色層２中に入射して、金属箔３表面で金属光沢波長光ｄが反射する。そして、この金属光沢波長光ｄは外部に透過しようとするが、半透明白色層３の裏面（半透明白色層３と半透明有彩色層２との界面）で散乱光ｅとなって、金属箔３表面側に反射する。したがって、金属光沢波長光ｄは、外部に透過しにくくなり、その多くが半透明有彩色層３中に留まり吸収及び減衰する。
【００１５】
半透明有彩色層２と金属箔３の間に、合成樹脂よりなる透明層４が存在する場合も、基本的には、上記した原理と同様の原理によって、金属光沢波長光ｄは、外部に透過しにくくなり、その多くが半透明有彩色層３及び透明層４中に留まり吸収及び減衰する。すなわち、図３に示すように、金属箔３表面に入射した光源光ａの一部の反射による金属光沢波長光ｄは、半透明有彩色層２の裏面（半透明有彩色層２と透明層４との界面）で金属箔３側に反射する特定波長光ｆと、半透明白色層３の裏面（半透明白色層３と半透明有彩色層２との界面）で金属箔３表面側に反射する散乱光ｅとなって、外部に至らない。したがって、金属光沢波長光ｄは、外部に透過しにくくなり、その多くが半透明有彩色層３中及び透明層４中に留まり吸収及び減衰する。
【００１６】
以上の原理によって、外部に至るのは散乱光ｂと特定波長光ｃであるため、半透明有彩色層２に起因する特定波長光ｃが人間の目に感受され、有彩色の着色を良好に視認しうるという効果を奏する。すなわち、金属光沢波長光ｄが外部に至らないために、金属光沢波長光ｄの影響を受けにくく、特定波長光ｃを良好に感受しやすくなり、有彩色の着色が良好に視認しうるのである。
【００１７】
また、半透明白色層３の表面にバーコードを印刷しておけば、これはバーコードリーダーで良好に読み取れるという効果も奏する。すなわち、本発明に係る包装材料に、バーコードリーダーを当てて光源光を照射すると、バーコード部では光の反射がなく、バーコード部以外では散乱光ｂ及び特定波長光ｃが反射して金属光沢波長光ｄの反射がない。したがって、バーコード部を良好に読み取ることができるという効果を奏するのである。
【実施例】
【００１８】
以下、実施例に基づいて本発明を説明するが、本発明は実施例に限定されるものではない。表面から順に、特定の半透明白色層、特定の半透明有彩色層及び金属箔の順に積層された本発明に係る包装材料は、段落００１４に記載した原理に基づいて、良好に有彩色を視認しうるものとの技術的思想に基づいて解釈されるべきである。
【００１９】
実施例１
金属箔として、厚み２０μｍの硬質アルミニウム箔を準備した。一方、塩化ビニル・酢酸ビニル共重合体１００重量部とメラミン樹脂５重量部をメチルエチルケトン６００重量部に溶解したビヒクル７０５重量部に対して、ジオキサジンバイオレット顔料（粒径０．０５〜０．２５μｍ）９．５重量部と不溶性アゾ顔料（粒径０．１〜０．２μｍ）３５．６重量部を均一に分散させて、有彩色印刷インキを準備した。また、塩化ビニル・酢酸ビニル共重合体１００重量部とメラミン樹脂５重量部をメチルエチルケトン３４７重量部に溶解したビヒクル４５２重量部に対して、一次粒子径が約０．２３〜０．３６μｍのルチル型二酸化チタンよりなる白色顔料１５０重量部を均一に分散させて、白色印刷インキを準備した。そして、硬質アルミニウム箔の艶面に有彩色印刷インキを塗工して、厚み約１．４μｍの半透明有彩色層を形成した後、半透明有彩色層の表面に白色印刷インキを塗工して、厚み約０．８μｍの半透明白色層を設けた。以上のようにして、全厚みが約２２．２μｍの包装材料を得た。この包装材料の塗工面は、金属光沢が殆どなく、紫色を良好に視認することができた。
【００２０】
実施例２
金属箔として、厚み２０μｍの硬質アルミニウム箔を準備した。一方、塩化ビニル・酢酸ビニル共重合体１００重量部とメラミン樹脂５重量部をメチルエチルケトン６００重量部に溶解したビヒクル７０５重量部に対して、ジスアゾイエロー顔料（粒径０．１〜０．２μｍ）１２．６重量部とフタロシアニンブルー顔料（粒径０．０５〜０．２５μｍ）３２．４重量部を均一に分散させて、有彩色印刷インキを準備した。また、実施例１で用いた白色印刷インキを準備した。そして、硬質アルミニウム箔の艶面に有彩色印刷インキを塗工して、厚み約１．５μｍの半透明有彩色層を形成した後、半透明有彩色層の表面に白色印刷インキを塗工して、厚み約０．８μｍの半透明白色層を設けた。以上のようにして、全厚みが約２２．３μｍの包装材料を得た。この包装材料の塗工面は、金属光沢が殆どなく、緑色を良好に視認することができた。
【００２１】
実施例３
実施例１において、さらに、塩化ビニル・酢酸ビニル共重合体１００重量部とメラミン樹脂５重量部をメチルエチルケトン６００重量部に溶解した合成樹脂溶液を準備した。そして、硬質アルミニウム箔の艶面に、この合成樹脂溶液を塗工して、厚み約０．５μｍの透明層を形成した。次いで、透明層表面に有彩色印刷インキを塗工して、厚み約１．４μｍの半透明有彩色層を形成した後、半透明有彩色層の表面に白色印刷インキを塗工して、厚み約０．８μｍの半透明白色層を設けた。以上のようにして、全厚みが約２２．７μｍの包装材料を得た。この包装材料の塗工面は、金属光沢が殆どなく、紫色を良好に視認することができた。
【００２２】
実施例４
実施例３において、さらに、塩化ビニル・酢酸ビニル共重合体１００重量部とメラミン樹脂５重量部をメチルエチルケトン６００重量部に溶解した合成樹脂溶液を準備した。そして、硬質アルミニウム箔の艶面に、この合成樹脂溶液を塗工して、厚み約０．５μｍの透明層を形成した。次いで、透明層表面に有彩色印刷インキを塗工して、厚み約１．５μｍの半透明有彩色層を形成した後、半透明有彩色層の表面に白色印刷インキを塗工して、厚み約０．８μｍの半透明白色層を設けた。以上のようにして、全厚みが約２２．８μｍの包装材料を得た。この包装材料の塗工面は、金属光沢が殆どなく、緑色を良好に視認することができた。
【００２３】
比較例１
実施例１において、硬質アルミニウム箔の艶面に有彩色印刷インキを塗工して、厚み約２．２μｍの有彩色層を設け、全厚みが約２２．２μｍの包装材料を得た。この包装材料の塗工面には金属光沢色が比較的強く残っており、かすかに紫色を視認しうる程度であった。
【００２４】
比較例２
実施例２において、硬質アルミニウム箔の艶面に有彩色印刷インキを塗工して、厚み約２．３μｍの有彩色層を設け、全厚みが約２２．３μｍの包装材料を得た。この包装材料の塗工面には金属光沢色が比較的強く残っており、かすかに緑色を視認しうる程度であった。
【００２５】
比較例３
実施例３において、硬質アルミニウム箔の艶面に合成樹脂溶液を塗工して、厚み約０．５μｍの透明層を形成した。次いで、透明層表面に有彩色印刷インキを塗工して、厚み約２．２μｍの有彩色層を設け、全厚みが約２２．７μｍの包装材料を得た。この包装材料の塗工面には金属光沢色が比較的強く残っており、かすかに紫色を視認しうる程度であった。
【００２６】
比較例４
実施例４において、硬質アルミニウム箔の艶面に合成樹脂溶液を塗工して、厚み約０．５μｍの透明層を形成した。次いで、透明層表面に有彩色印刷インキを塗工して、厚み約２．３μｍの有彩色層を設け、全厚みが約２２．８μｍの包装材料を得た。この包装材料の塗工面には金属光沢色が比較的強く残っており、かすかに緑色を視認しうる程度であった。
【００２７】
比較例５
実施例１において、硬質アルミニウム箔の艶面に白色印刷インキを塗工して、厚み約２．２μｍの白色層を設け、全厚みが約２２．２μｍの包装材料を得た。この包装材料の塗工面は白色であった。
【００２８】
［シンボルコントラストの評価］
実施例１〜４及び比較例１〜５で得られた包装材料の塗工面に、バーコード印刷を施した。バーコード印刷は、塩化ビニル・酢酸ビニル共重合体１００重量部とメラミン樹脂５重量部をメチルエチルケトン６００重量部に溶解したビヒクル７０５重量部に対して、カーボンブラック顔料（粒径０．０５〜０．１μｍ）４５重量部を均一に分散させてなる黒色色印刷インキを用いて行った。バーコード印刷の厚みは約１μｍであった。
バーコード印刷を施した各包装材料につき、ＷｅｂＳｃａｎ社製ＴｒｅＣｈｅｃｋ２０１Ｒを用いて、シンボルコントラスト（％）を評価した。この結果は表１に示したとおりであった。
【００２９】
［表１］
━━━━━━━━━━━━━━━━━━━━━━━━
シンボルコントラスト（％）
━━━━━━━━━━━━━━━━━━━━━━━━
実施例１                    ７４
実施例２                    ６４
実施例３                    ７８
実施例４                    ７６
比較例１                  測定不能
比較例２                  測定不能
比較例３                      ６
比較例４                      ５
比較例５                    ７５
━━━━━━━━━━━━━━━━━━━━━━━━
【００３０】
実施例及び比較例の結果から明らかなように、実施例に係る包装材料にバーコード印刷を施した場合、下地が有彩色であるにも拘わらず、下地が白色の場合（比較例５）と同等のシンボルコントラストを得られていることが分かる。すなわち、実施例に係る包装材料は、比較例１〜４に係る包装材料に比べて、金属光沢色が低減していることが分かる。
【図面の簡単な説明】
【００３１】
【図１】金属箔表面に半透明有彩色層を設けた場合において、光源光が入射したときの反射の原理を示した模式図である。
【図２】本発明に一例に係る包装材料に光源光が入射した場合において、光源光の反射の原理を示した模式図である。
【図３】本発明に他の例に係る包装材料に光源光が入射した場合において、光源光の反射の原理を示した模式図である。
【符号の説明】
【００３２】
１  金属箔
２  半透明有彩色層
３  半透明白色層
４  透明層
ａ  光源光
ｂ  半透明白色層の表面で反射する散乱光
ｃ  半透明有彩色層の表面で反射する特定波長光
ｄ  金属箔表面に反射する金属光沢波長光
ｅ  半透明白色層の裏面で反射する散乱光
ｆ  半透明有彩色層の裏面で反射する特定波長光
【図１】
2015124000.tif 000003
【図２】
2015124000.tif 000004
【図３】
2015124000.tif 000005